【事件の表示】
　特願２０１１−１０３８５５「携帯電子機器および携帯電子機器の制御方法」拒絶査定不服審判事件〔平成２３年　９月１５日出願公開、特開２０１１−１８１０９２〕について、次のとおり審決する。
【結　論】
　本件審判の請求は、成り立たない。
【理　由】
１．手続の経緯・本願発明
　本願は、平成１９年８月２０日（優先権主張　平成１８年８月２５日、日本）を国際出願日とする出願である特願２００８−５３０８９８号の一部を平成２３年５月６日に新たな特許出願としたものであって、平成２３年６月６日付けて手続補正がなされ、平成２４年１０月１５日付けで拒絶理由通知がなされ、同年１２月２１日付けで意見書が提出されたが、平成２５年４月３０日付けで拒絶査定がなされ、これに対し、同年８月７日付けで拒絶査定不服審判の請求がされたものである。
　そして、本願の特許請求の範囲の請求項１に係る発明（以下、「本願発明」という。）は、平成２３年６月６日付け手続補正書の特許請求の範囲の請求項１に記載された、次のとおりのものと認める。
　「【請求項１】
　接触を検出する第１の検出部と、
　前記第１の検出部へ接触が検出されると第１状態から第２状態に遷移し、当該第２状態にて前記第１の検出部への接触が検出されない状態が前記所定時間継続すると前記第１状態へと遷移する制御部と、を備え、
　前記制御部は、前記第２状態から前記第１状態へと遷移する際に、当該第１状態に遷移する前に検出された前記第１の検出部への接触に対応する制御を実行する第１接触検出モードを有することを特徴とする携帯電子機器。」
　
２．引用刊行物（引用例１）の記載、 引用例１記載の発明（引用発明）
　原査定の拒絶の理由に引用された、本願の優先日前に頒布された刊行物である、特開２００２−２９７３１８号公報（以下、「引用例１」という。）には、図面とともに以下の事項が記載されている。
　
（１）引用刊行物（引用例１）の摘示
（ａ）「【請求項１】タッチパネル上の所定位置において、発光素子と受光素子との間を結ぶ光の遮断の有無により上記所定位置を操作しているか否かを判別するタッチパネル制御装置であって、
上記受光素子が上記発光素子からの光を検出しない場合に、上記所定位置を操作していることを示すタッチ位置データを送信するタッチ位置データ送信部と、
上記受光素子が上記発光素子からの光を検出した場合に、上記タッチパネルを操作していないことを示すタッチオフデータを送信するタッチオフデータ送信部と、
上記タッチオフデータを取得した場合に、タッチオフの時間の計測を開始するタイマと、
上記タッチ位置データ送信部および上記タッチオフデータ送信部からの各データを受信可能であって、上記タッチ位置データを受け取った場合および上記計測時間が所定時間以内の場合には上記タッチパネルを操作していると判断する一方で、上記計測時間が上記所定時間を越えた場合には上記タッチパネルを操作していないと判断する制御部と、を備えることを特徴とするタッチパネル制御装置。」（【請求項１】の記載。）
　
（ｂ）「【０００１】
【発明の属する技術分野】本発明は、
タッチパネル上の所定位置において、発光素子と受光素子との間を結ぶ光の遮断の有無により所定位置を操作しているか否かを判別するタッチパネル制御装置
【０００２】
【従来の技術】車両用のナビゲーション装置のようにタッチパネル上で操作可能な装置には、タッチパネル上への押圧を感知して制御する感圧式タッチパネル制御、あるいはタッチパネル上を走る赤外線の遮断の有無で制御する赤外線式タッチパネル制御が採用されている。
【０００３】感圧式タッチパネル制御は、赤外線式タッチパネル制御に比べて低コストであるが、一般的にその信頼性は低い。感圧式タッチパネル制御の信頼性は、タッチパネルの材料に依存するためである。一方、赤外線式タッチパネル制御は、感圧式タッチパネル制御に比べて高コストであるが、その信頼性は高い。発光ダイオードおよびトランジスタを用いているため、その信頼性はデバイスに依存するためである。なお、このような感圧式タッチパネル制御あるいは赤外線式タッチパネル制御に関する発明として、特開平９−４４３０８号公報および特開平１１−３４４０号公報記載の各発明が知られている。」（【０００１】〜【０００３】の記載。当審注：下線は当審で付与した。以下、同様。）
　
（ｃ）「【０００９】特に、タッチパネル１０上を指でなぞる際に、赤外線同士の間に指等がくる機会がある。したがって、
指等が離れたと誤認識されること
を防止するため
【００１０】また、感圧式タッチパネル制御に関する特開平９−４４３０８号公報記載の発明は、タッチ検出を２度行うことによりタッチ位置を確定するものである。したがって、当該発明では、指等が離れていないにもかかわらずタッチオフと誤認識される問題を解決できない。また、特開平１１−３４４０号公報記載の発明は、ある一定領域でのオンオフの精度を出すものである。したがって、特開平９−４４３０８号公報記載の発明と同様、指等が離れていないにもかかわらずタッチオフと誤認識される問題を解決できない。
【００１１】本発明は、かかる問題を解決するためになされたものであり、
タッチパネル上を操作する際に、
正確なタッチ判別ができる
　
（ｄ）「【００１９】図１は、本発明のタッチパネル制御装置１の構成を示すブロック図である。
タッチパネル制御装置１は、タッチ位置データ送信部２と、タッチオフデータ送信部３と、タイマとしてのリリースタイマ４と、制御部５と、ＲＯＭ６と、コマンドデータ送信部７とを備え
【００２０】
タッチ位置データ送信部２は、所定位置にある
フォトトランジスタ（受光素子）が、
赤外線を検出しなくなった際に、その所定位置をタッチしていることを示すタッチ位置データを送信する構成部
【００２１】
タッチオフデータ送信部３は、フォトトランジスタが
赤外線を再び検出した場合に、その所定位置と共にタッチパネルを操作していないことを示すタッチオフデータを送信する構成部
【００２２】なお、タッチ位置データ送信部２とタッチオフデータ送信部３とを別個に設けずに、一つのデータ送信部としても良い。その場合には、フォトトランジスタからの受光量に基づく信号によって、タッチ位置データとタッチオフデータとを切り換えて制御部５に送信する。
【００２３】
リリースタイマ４は、タッチオフデータを取得した際に時間の計測を開始するタイマ
リリースタイマ４は、タッチ位置データ送信部２から新たな位置データが送信されると、そのカウントをリセット
【００２４】
制御部５は、タッチ位置データ送信部２からのタッチ位置データおよびタッチオフデータ送信部３からのタッチオフデータを受信可能な構成部
制御部５は、タッチ位置データを受け取った場合およびリリースタイマ４が計測する計測時間が所定時間以内の場合には、タッチパネルを操作していると判断
一方、計測時間が所定時間を越えた場合にはタッチパネルを操作していないと判断
【００２５】ＲＯＭ６は、制御部５の制御プログラムを記録した読み取り専用のメモリである。
ＲＯＭ６には、制御部５がタッチ位置データ送信部２、タッチオフデータ送信部３およびリリースタイマ４から送信される各データに基づいてタッチのオンオフおよびタッチ位置のデータを判別し、その判別結果に基づいてコマンドデータ送信部７に各処理データを送信するためのプログラムが記録され
コマンドデータ送信部７は、制御部５からの各処理データを受け取って、別の回路にコマンドを出力する構成部
【００２６】図２は、
タッチパネル制御装置１の処理動作の流れ
【００２７】
タッチパネルに指等をタッチすることにより、制御部５がタッチ位置データ送信部２からタッチ位置データを取得する時点から開始する
【００２８】次に、制御部５は、タッチ位置データ送信部２から所定時間以内にタッチ位置データを取得したか否かを判別する（ステップＳ１０４：計測時間判別ステップ）。この結果、制御部５は、所定時間以内にタッチ位置データを取得した場合にはカウントをクリアし（ステップＳ１０５）、指等でタッチパネルを押し下げ中と判断した上で（ステップＳ１０６：オン判断ステップ）、ステップＳ１０２に戻る。
【００２９】一方、制御部５は、ステップＳ１０４において、所定時間以内にタッチ位置データを取得しなかった場合には、指等がタッチパネルから離れたものと判断する（ステップＳ１０７：オフ判断ステップ）。また、制御部５は、ステップＳ１０２において、タッチオフデータを取得していない場合には、未だ指等でタッチパネルを押し下げ中と判断する（ステップＳ１０８：オン判断ステップ）。かかる一連の流れで、処理が終了する。
【００３０】図３は、本発明のタッチパネル制御装置１と従来のタッチパネル制御装置との機能を比較して示す図である。
【００３１】図３において、Ａは、従来のタッチパネル制御装置における制御システム（以後、従来システムという）を示す。また、Ｂは、本発明のタッチパネル制御装置１における制御システム（以後、本発明のシステムという）を示す。
【００３２】タッチパネル上を指でなぞっていき、途中でタッチパネルから指を離す操作をした場合、従来のシステムは、タッチパネルをなぞっている最中でタッチオフデータを取得すると、（１）（当審注：（１）は丸付き数字の１を置き換えたものである。以下、同様。）で示すように指が離れたと判断する。そして、従来のシステムは、再びタッチ位置データを取得すると、（２）で示すように押し下げ操作をしたと判断する。一番右側の（１）の位置は、実際にタッチパネルから指が離れた時期なので正しい認識である。しかし、左から３つ目までの（１）の位置は、まだタッチパネルをなぞっている最中なので誤認識をした位置ということになる。
【００３３】これに対して、本発明のシステムは、タッチパネルをなぞっている最中でタッチオフデータを取得しても、（３）で示すようにまだ指がタッチされていると判断している。タッチオフデータを取得した時には、リリースタイマ４は、（５）の位置でタイマのカウントを開始するが、次のタッチ位置データの取得によって、（６）の位置でカウントをリセットする。タッチオフデータの取得から次のタッチ位置データの取得までの時間が、予め設定されていた所定時間内であったからである。
【００３４】また、（３）の位置から（４）の位置に示すように、本発明のシステムは、タッチパネルから指を離しても、リリースタイマ４が所定期間をカウントするまで（（５）の位置から（７）の位置まで）、指が離れていないと判断している。しかし、かかる誤認識は、ユーザにとって不都合はない。」（【００１９】〜【００３４】の記載。）
　
（ｅ）図３は、タッチパネル制御装置１の機能を示す図であり、タッチパネル上を指でなぞっていき、途中でタッチパネルから指を離す操作をした場合が示されている。
　図３には、第１行に「タッチ操作」、第２行に「タッチデータ」、第４行にＢとして「本発明のシステム」、第５行に「リリースタイマの動作状況」が示され、具体的には、「タッチ操作」として「タッチパネル上をなぞる」操作に応じて、「時間の流れ」にしたがって、「タッチデータ」として３つの「タッチ位置データ」、１つの「タッチオフデータ」、６つの「タッチ位置データ」、１つの「タッチオフデータ」、２つの「タッチ位置データ」、１つの「タッチオフデータ」、３つの「タッチ位置データ」をこの順に受信し、その後、「タッチ操作」として「タッチパネルから指を離す」操作に応じて、「時間の流れ」にしたがって、６つの「タッチオフデータ」を受信した場合が示されている。
　そして、上記のような操作をした場合に、「本発明のシステム」は、「タッチパネル上をなぞる」操作に応じる「タッチデータ」を受信している期間は、「タッチ位置データ」を受信している期間のみでなく「タッチオフデータ」を受信している（３）の位置の期間も含め「押下中」と判断し、また、「タッチパネルから指を離す」操作に応じる「タッチオフデータ」を２つ受信する（３）の位置の期間も、「押下中」と判断し、「タッチパネルから指を離す」操作に応じる３つ目の「タッチオフデータ」を受信する（４）の位置以降は、「押下中でない」と判断することが示されている。
　また、「リリースタイマの動作状況」は、「タッチオフデータ」を受信した（５）の位置で「動作中」となり、次の「タッチ位置データ」を受信した（６）の位置で「停止中」となること、また、「タッチパネルから指を離す」操作に応じる１つ目の「タッチオフデータ」を受信した（５）の位置で「動作中」となり、３つ目の「タッチオフデータ」を受信する（７）の位置で「停止中」となることが示されている。
　
（２）引用発明
　
（ａ）目的、タッチパネル、対象装置
　上記摘示（ａ）〜（ｅ）から、「タッチパネル」の存在は明らかであり、本願発明と対比する引用発明として、「タッチパネル上を操作する際に、指等が離れたと誤認識されることを防止し、正確なタッチ判別ができるようにするための」、「タッチパネル」と上記「タッチパネル制御装置１」を備える装置、を認めることができる。
　
（ｂ）制御部５の動作，図３について
　「タッチパネル制御装置１」における制御部５は、上記ＲＯＭ６に記録されているプログラムにしたがって、「タッチ位置データ送信部２、タッチオフデータ送信部３およびリリースタイマ４から送信される各データに基づいてタッチのオンオフおよびタッチ位置のデータを判別し、その判別結果に基づいてコマンドデータ送信部７に各処理データを送信する」ように動作することは明らかである。
　また、図３は、タッチパネル制御装置１の機能を示す図であり、「時間の流れ」にしたがって、「タッチパネル上をなぞる」操作をしその後「タッチパネルから指を離」した場合の例が示されており、上記（１）の摘示（ｄ），図２を考慮すれば、制御部５は、図３の表の第２行の「タッチ位置データ」／「タッチオフデータ」を受信し、第４行のＢの「押下中」（タッチパネルを操作している）／「押下中でない」（タッチパネルを操作していない）という判別、および、タッチ位置の判別をしていると理解される。
　
（ｃ）引用発明
　上記（１）の摘示および上記（ａ），（ｂ）によれば、引用例１には以下の発明（以下、「引用発明」という。）が記載されていると認められる。
　
　「タッチパネル上を操作する際に、指等が離れたと誤認識されることを防止し、正確なタッチ判別ができるようにするための装置であって、
　タッチパネルと、タッチパネル上の所定位置において、発光素子と受光素子との間を結ぶ光の遮断の有無により所定位置を操作しているか否かを判別するタッチパネル制御装置を備える装置において、
　タッチパネル制御装置１は、タッチ位置データ送信部２と、タッチオフデータ送信部３と、タイマとしてのリリースタイマ４と、制御部５と、ＲＯＭ６と、コマンドデータ送信部７とを備え、
　タッチ位置データ送信部２は、所定位置にあるフォトトランジスタ（受光素子）が、赤外線を検出しなくなった際に、その所定位置をタッチしていることを示すタッチ位置データを送信する構成部であり、
　タッチオフデータ送信部３は、フォトトランジスタが赤外線を再び検出した場合に、その所定位置と共にタッチパネルを操作していないことを示すタッチオフデータを送信する構成部であり、
　リリースタイマ４は、タッチオフデータを取得した際に時間の計測を開始するタイマであり、リリースタイマ４は、タッチ位置データ送信部２から新たな位置データが送信されると、そのカウントをリセットするものであり、
　制御部５は、タッチ位置データ送信部２からのタッチ位置データ（例えば、図３の第２行）およびタッチオフデータ送信部３からのタッチオフデータ(例えば、図３の第２行）を受信可能な構成部であり、制御部５は、タッチ位置データを受け取った場合およびリリースタイマ４が計測する計測時間が所定時間以内の場合には、タッチパネルを操作している（例えば、図３の第４行のＢの「押下中」）と判断し、一方、計測時間が所定時間を越えた場合にはタッチパネルを操作していない（例えば、図３の第４行のＢの「押下中でない」）と判断するものであって、
　ＲＯＭ６に記録されているプログラムにしたがって、タッチオフデータ送信部３およびリリースタイマ４から送信される各データに基づいてタッチのオンオフおよびタッチ位置のデータを判別し、その判別結果に基づいてコマンドデータ送信部７に各処理データを送信するように動作し、
　コマンドデータ送信部７は、制御部５からの各処理データを受け取って、別の回路にコマンドを出力する構成部であり、
　タッチパネル制御装置１の処理動作の流れは、タッチパネルに指等をタッチすることにより、制御部５がタッチ位置データ送信部２からタッチ位置データを取得する時点から開始する
　装置。」
３．対比、一致点、相違点
　本願発明と引用発明とを対比する。 
　
ア　「接触を検出する第１の検出部と、」について
　引用発明は「タッチパネル」を備え、「タッチパネル制御装置」は「タッチパネル上の所定位置において、発光素子と受光素子との間を結ぶ光の遮断の有無により所定位置を操作しているか否かを判別する」ものであるところ、
　その「タッチパネル」は、本願発明の「接触を検出する第１の検出部」といい得るものであることは明らかである。
　
イ　「前記第１の検出部へ接触が検出されると・・・第１状態へと遷移する制御部と、を備え、
　前記制御部は、前記第２状態から・・・前記第１の検出部への接触に対応する制御を実行する第１接触検出モードを有する」について
　
イ−１　本願発明の「制御部」について
　請求項１では、「制御部」は、
　・「前記第１の検出部へ接触が検出されると第１状態から第２状態に遷移し、当該第２状態にて前記第１の検出部への接触が検出されない状態が前記所定時間継続すると前記第１状態へと遷移する」（前段）ものであり、かつ、
　・「前記第２状態から前記第１状態へと遷移する際に、当該第１状態に遷移する前に検出された前記第１の検出部への接触に対応する制御を実行する第１接触検出モードを有する」（後段）ものである、
　としている。
　つまり、前段では、「制御部」自身の状態が変化（遷移）するものとしつつ、後段では「制御部」がその変化（遷移）に基づいて制御を実行するとしていて「その変化（遷移）に基づいて制御を実行する部分」の存在が認められるところ、
　その「制御を実行する部分」の状態が変化するとは考え難く、技術合理的には、その「制御を実行する部分」と「状態が変化（遷移）する部分」は同じものではなく、「状態が変化（遷移）する部分」に基づいて制御する「制御を実行する部分」が存在するのが通常である。
　以上のことからすれば、本願発明の「制御部」は、その両者を含むものと解するのが妥当であり、そのように解したとしても、発明の実質的内容は変わらない。
　すなわち、請求項１に特定される「制御部」は、技術合理的には、以下のように解される。
　Ａ：「制御部」は、「前記第１の検出部へ接触が検出されると第１状態から第２状態に遷移し、当該第２状態にて前記第１の検出部への接触が検出されない状態が前記所定時間継続すると前記第１状態へと遷移する」ような
第１状態か若しくは第２状態を決定する
　Ｂ：「制御部」は、「前記第２状態から前記第１状態へと遷移する際に、当該第１状態に遷移する前に検出された前記第１の検出部への接触に対応する
制御を実行する
　（すなわち、「制御部」は、上記
状態の決定
制御の実行
　｛なお、
　Ａ’：「制御部」は、「前記第１の検出部へ接触が検出されると第１状態から第２状態に遷移し、当該第２状態にて前記第１の検出部への接触が検出されない状態が前記所定時間継続すると前記第１状態へと遷移する」ような第１状態か若しくは第２状態を決定し自身の状態とするもの、すなわち、
決定の機能のみを行う
　Ｂ’：その決定された状態は、「前記第２状態から前記第１状態へと遷移する際に、当該第１状態に遷移する前に検出された前記第１の検出部への接触に対応する制御を実行する」ように用いられる「第１接触検出モード」が存在する、とするもの、
　とも解することが可能ではあるものの、
　上記Ａの「状態の決定」機能の部分のみを「制御部」とすれば、ＡはＡ’となり、これに伴い、ＢはＢ’となる。すなわち、Ａ・Ｂがいえれば、Ａ’・Ｂ’もいえることになり、且つ発明の実質も変わらず、上記Ａ，Ｂのように解したとしても、支障はない。｝
　
　以下、本願発明の「制御部」を上記Ａ、Ｂのように解することとして、引用発明の「タッチパネル制御装置」と対比する。
　
イ−２　上記Ａ（「制御部」は、「前記第１の検出部へ接触が検出されると第１状態から第２状態に遷移し、当該第２状態にて前記第１の検出部への接触が検出されない状態が前記所定時間継続すると前記第１状態へと遷移する」ような第１状態か若しくは第２状態を決定する）について
　
（ａ）「前記第１の検出部へ接触が検出されると第１状態から第２状態に遷移し、」について
〈前記第１の検出部へ接触が検出される、第２状態〉
　引用発明の「タッチパネル制御装置」は、「タッチパネル上の所定位置において、発光素子と受光素子との間を結ぶ光の遮断の有無により所定位置を
操作しているか否かを判別する
　・その「タッチ位置データ送信部２」は、「所定位置にあるフォトトランジスタ（受光素子）が、赤外線を検出しなくなった際に、その所定位置をタッチしていることを示すタッチ位置データを送信する」ものであり、
　・その「制御部５」は、「タッチ位置データを受け取った場合」「には、タッチパネルを操作している（例えば、図３の第４行のＢの「押下中」）と判断」するものである。
　以上のことから、引用発明の「タッチ位置データを受け取った場合」は、本願発明の「前記第１の検出部へ接触が検出される」場合、といい得るものである。
　そして、引用発明の「タッチパネルを操作している（例えば、図３の第４行のＢの「押下中」）と判断」される状態は、「タッチパネル制御装置」（詳しくは、その「制御部５」）が判断し決定するもので、本願発明の（「制御部」が決定する）「第２状態」といい得るものである。
　
〈第１状態〉
　また、引用発明の「タッチパネル制御装置」の
　・「タッチオフデータ送信部３」は、「フォトトランジスタが赤外線を再び検出した場合に、その所定位置と共にタッチパネルを操作していないことを示すタッチオフデータを送信する」ものであり、
　・「リリースタイマ４は、タッチオフデータを取得した際に時間の計測を開始するタイマ」であり、
　・「制御部５は、」「リリースタイマ４が計測する」「計測時間が所定時間を越えた場合にはタッチパネルを操作していない（例えば、図３の第４行のＢの「押下中でない」）と判断するもの」である。
　この、引用発明の「タッチパネルを操作していない（例えば、図３の第４行のＢの「押下中でない」）と判断」される状態は、「タッチパネル制御装置」（詳しくは、その「制御部５」）が判断し決定するもので、本願発明の（「制御部」が決定する）「第１状態」といい得るものである。
　
〈第１状態から第２状態に遷移〉
　そして、引用発明でも、「タッチパネルを操作していない（例えば、図３の第４行のＢの「押下中でない」）と判断」される状態（本願発明でいう「第１状態」）において、「タッチ位置データを受け取った場合」（本願発明の「前記第１の検出部へ接触が検出され」た場合）、「タッチパネルを操作している（例えば、図３の第４行のＢの「押下中」）と判断」される状態（本願発明でいう「第２状態」）となることは明らかであり、
　引用発明の「タッチパネル制御装置」も、「前記第１の検出部へ接触が検出されると第１状態から第２状態に遷移し、」とする状態を決定しているということができる。
　
（ｂ）「当該第２状態にて前記第１の検出部への接触が検出されない状態が前記所定時間継続すると前記第１状態へと遷移する」について
　上記のとおり、引用発明の「タッチパネル制御装置」（詳しくは、「制御部５」）は、
　そのリリースタイマ、すなわち、「タッチオフデータを取得した際に時間の計測を開始するタイマ」である「リリースタイマ４」「が計測する」「計測時間が所定時間を越えた場合にはタッチパネルを操作していない（例えば、図３の第４行のＢの「押下中でない」）と判断するもの」であるから、「タッチオフデータを取得した際に時間の計測を開始」した「計測時間が所定時間を越えた場合にはタッチパネルを操作していない（例えば、図３の第４行のＢの「押下中でない」）と判断する」ものである。
　すなわち、引用発明の「タッチパネル制御装置」も、「当該第２状態にて前記第１の検出部への接触が検出されない状態が前記所定時間継続すると前記第１状態へと遷移する」ような第１状態か若しくは第２状態を決定しているということができる。
　
（ｃ）まとめ
　以上のことから、引用発明の「タッチパネル制御装置」も、本願発明の「制御部」と同様、「前記第１の検出部へ接触が検出されると第１状態から第２状態に遷移し、当該第２状態にて前記第１の検出部への接触が検出されない状態が前記所定時間継続すると前記第１状態へと遷移する」ような第１状態か若しくは第２状態を決定する、ものといえ、この点において、本願発明と相違しない。
　
イ−３　上記Ｂ（「制御部」は、「前記第２状態から前記第１状態へと遷移する際に、当該第１状態に遷移する前に検出された前記第１の検出部への接触に対応する制御を実行する」ようにする「第１接触検出モードを有する」ものであるについて
　
　上記Ｂは、
　Ｂ１：制御部が、前記第２状態・前記第１状態に基づいて制御を実行すること
　Ｂ２：実行される制御が、第１状態に遷移する前に検出された前記第１の検出部への接触に対応する制御であること
　Ｂ３：制御の実行が、前記第２状態から前記第１状態へと遷移する際に、行われること、
　Ｂ４：そのようなモードを「第１接触検出モード」とすること
を要件としている。
　
（ａ）Ｂ１について
　引用発明の「タッチパネル制御装置」は、
　その「制御部５が」「タッチのオンオフおよびタッチ位置のデータを判別し、その判別結果に基づいてコマンドデータ送信部７に各処理データを送信する」ものであり、その「コマンドデータ送信部７は、制御部５からの各処理データを受け取って、別の回路にコマンドを出力する」ものであるから、その「判別結果」（図３の第４行のＢの「押下中」／「押下中でない」）に基づいて「コマンド」を出力しているといえ、「コマンド」の「出力」は「制御の実行」ということができる。
　また、上記「判別結果」は、これまでの検討結果から、本願発明でいう「前記第２状態」か若しくは「前記第１状態」といえることから、
　引用発明の「タッチパネル制御装置」も、「前記第２状態・前記第１状態に基づいて制御を実行する」といえ、引用発明も、要件Ｂ１を満たしている。
　
（ｂ）Ｂ２、Ｂ３、Ｂ４について
　引用例１には、引用発明の上記「コマンド」についての具体的記載がなく、「タッチパネルを操作している（例えば、図３の第４行のＢの「押下中」）と判断される状態（本願発明でいう「第２状態」）から、タッチパネルを操作していない（例えば、図３の第４行のＢの「押下中でない」）と判断される状態（本願発明でいう「第１状態」）へと遷移する際に、行われる」との記載はないし、「コマンド」が「タッチパネルを操作していない（例えば、図３の第４行のＢの「押下中でない」）と判断される状態（本願発明でいう「第１状態」）に遷移する前に検出された前記第１の検出部への接触に対応する」ものであるとの記載もない。
　すなわち、引用発明の「タッチパネル制御装置」の「コマンド」の「出力」が「前記第２状態から前記第１状態へと遷移する際に、行われる」とも、コマンドが「第１状態に遷移する前に検出された前記第１の検出部への接触に対応する」ものともしていない。
　引用発明は、要件Ｂ２、Ｂ３、Ｂ４を満たしているとはいえず、この点、本願発明と相違する。
  もっとも、引用発明も、「前記第２状態・前記第１状態に基づいて制御を実行する」「モード」を有している、とはいえ、この限りにおいては本願発明と相違しない。
　
（ｃ）まとめ
　引用発明の「タッチパネル制御装置」も、「前記第２状態・前記第１状態に基づいて制御を実行する」「モードを有している」点では、本願発明の「制御部」と相違しないものの、
　そのモードが、「前記第２状態から前記第１状態へと遷移する際に、当該第１状態に遷移する前に検出された前記第１の検出部への接触に対応する制御を実行する第１接触検出モード」とはしておらず、この点、相違する。
　
ウ　「携帯電子機器」について
　引用例１の上記摘示（ｂ）の【０００２】に「車載用のカーナビゲーション装置」が記載されているように、引用発明の「装置」は「電子機器」とはいい得るものの、「携帯電子機器」ではない。
　
　したがって、両者は以下の一致点と相違点とを有する。
　
〈一致点〉
　
　「接触を検出する第１の検出部と、
　前記第１の検出部へ接触が検出されると第１状態から第２状態に遷移し、当該第２状態にて前記第１の検出部への接触が検出されない状態が前記所定時間継続すると前記第１状態へと遷移する制御部と、を備え、
　前記制御部は、前記第２状態・前記第１状態に基づいて制御を実行するモードを有する」点
　
〈相違点１〉
　「前記第２状態・前記第１状態に基づいて制御を実行するモード」が、
　本願発明では、
「前記第２状態から前記第１状態へと遷移する際に、当該第１状態に遷移する前に検出された前記第１の検出部への接触に対応する制御を実行する第１接触検出モード」
であるのに対して、
　引用発明では、そのようなモードとはしていない点
　
〈相違点２〉
　本願発明は「携帯電子機器」であるのに対し、引用発明は「電子機器」といい得るものであるものの「携帯電子機器」ではない点。
　
４．当審の判断
〈相違点１についての判断〉
　引用発明は、「タッチパネル上を操作する際に、指等が離れたとの誤認識を防止し、正確なタッチ判別ができるようにするための」ものとしている。
　このことは、「指等が離れた」ことを正確に判別することは重要であることを前提に、「指等が離れた」との誤認識によって引き起こされるであろう不都合を防止しようとするものと理解されるところ、
　仮に、「指等が離れた」と誤認識したとしても、これにより何らの動作制御も実行されないのであれば、そもそも何らの不都合も生じない。
　このことからすれば、当業者であれば、「指等が離れた」との正確な判別によって、これに基づく動作制御が実行されることが予定されていているものと普通に想定するものであり、また、どの位置で「指等が離れた」のかも重要であることは明らかであり、動作制御が単に「指等が離れた」ことのみならず、そのときの「位置」の情報に基づいて実行されることも当業者は普通に想定するものである。
　そして、かかる普通に想定される動作制御は、引用発明では、「タッチパネル制御装置」が「コマンド」を「出力」することでなされるものである。
　以上のことからすれば、引用例１に接した当業者であれば、引用発明の「タッチパネル制御装置」の「コマンド」の「出力」が、「指等が離れた」との判別、すなわち、前記第２状態（押下中）から前記第１状態（押下中でない）へと遷移する際になされると、ごく普通に想定するものである。
　また、引用発明において、「指等が離れた」と判別されたときの「位置」は、図３の第４行のＢの「押下中」から「押下中でない」に遷移する前、「タッチ位置データ送信部２」から最後に受信した「タッチ位置データ」の示す「所定位置」と同じであることは明らかである（「押下中でない」と判別したときの「タッチオフデータ」に「位置」の情報が含まれていて、それが、「指等が離れた」と判別されたときの「位置」の情報であるとしても、それは、「押下中」から「押下中でない」に遷移する前、上記の「タッチ位置データ送信部２」から最後に受信した「タッチ位置データ」の示す「所定位置」と同じであることは明らかである。）。
　すなわち、「当該第１状態に遷移する前に検出された前記第１の検出部への接触に対応する制御を実行する」ことも、当業者が容易に想到し得ることというべきである。
　
　事実、タッチのオフを判別した際、すなわち、タッチパネルを操作していないと判断した際に、それまでタッチパネルに接触していた位置に対応する制御を実行すること（これが、本願発明の「前記第２状態から前記第１状態へと遷移する際に、当該第１状態に遷移する前に検出された前記第１の検出部への接触に対応する制御を実行する」ことに相当することは明らかである。）は、本願優先日前ごく普通に知られており、かかる周知技術（下記の周知例参照のこと。）からみても、
　「前記制御部は、前記第２状態から前記第１状態へと遷移する際に、当該第１状態に遷移する前に検出された前記第１の検出部への接触に対応する制御を実行する」ようにすることは、当業者が容易に想到し得ることである。
　
　そして、そのように制御するモードのことを「第１接触検出モード」と称することも、当業者が普通になしえることにすぎない。
　
　以上によれば、上記相違点１に係る構成とすることは、当業者が容易に想到し得ることである。
　
　　　　　　　　　記（上記周知技術の例）
　
　・特開平１１-３４４０号公報（引用例１が従来例としている刊行物）
　「【００２１】図９はタッチパネルに指が触れた位置と指の離れた位置が同じ金額エリア内にあるとき、発券処理するフローを説明する図である。まず、
タッチパネルがオンか否か判断し、オンした位置座標を取得する
次いで、タッチパネルから指が離れたか否か判断し、オフした位置座標を取得する
次いで、取得したオンした位置座標と、オフした位置座標とを比較し、同じ金額エリア内であれば発券処理
とあり、タッチパネルから指が離れた際の位置座標に基づいて発券処理の制御を行っていることは明らかである。
　
・特開平２−１３６９１４号公報
　「次に、第３図の拡大制御及び入力キー決定プログラムに従って拡大制御及び入力キー決定につき以下説明する。
　ステップ１にて、タッチオンされたＴ（ｘ，ｙ）点の座標がタッチパネルコントローラ１５，シリアルインタフェース１６を介してプロセッサ１に知らされる。
　すると、ステップ２にて上記説明の（１）式にて表示スタートアドレスを求め、又（２）式にて遅延回路１３にて遅延させるドツト数を求める。
　そして、ステップ３にて、表示スタートアドレスをＣＲＴコントローラ１０に通知し、ステップ４にてＣＲＴ制御信号を２ワード遅延させるように遅延回路１４に通知し、ステップ５にて表示信号を１８ドット遅延させるように遅延回路１３に通知する。
　又ステップ６にて並直列変換部１２にシフトドットクロックの周波数を１／２にするよう通知する。
　すると、表示装置４の表示画面のキーボード状のイメージは２倍に拡大される。
　拡大されて大きくなったので、
操作者は所望のキーボードの略真中の位置に指等のポインティングデバイスを移動しタッチオフする
　すると、
ステップ７にてタッチオフした位置の座標がタッチパネルコントローラ１５，シリアルインタフェース１６を介してプロセッサ１に入力する
　すると、
ステップ８にて、タッチしたキーの判定を行いキー入力とする
とあり、所望のキーボードに位置する指等のポインティングデバイスをタッチオフした際に、タッチオフした位置の座標に基づいてタッチしたキーの判定を行いキー入力とする制御を行っていることは明らかである。
　
　・特開平６−３０９１３８号公報
　「【００１６】次に、図２に示すフローチャートを参照しながら、この実施例の動作を説明する。
【００１７】まず、ＣＰＵ５はインタフェース回路３の出力を監視して、操作員などの指７によってＣＲＴ１の画面８上がタッチされているかどうかを示す情報を取込み、前記ＣＲＴ１の画面８上の一部がタッチされるまで待つ（ステップＳＴ１）。
【００１８】そして、図３に示す如く操作員などの指７によってＣＲＴ１の画面８上がタッチされ、タッチパネル２によってこれが検出されてインタフェース回路３からタッチ位置データが出力されれば、ＣＰＵ５はこのタッチ位置データを取り込むとともに、予め設定されている一定時間、前記インタフェース回路３から前記タッチ位置データが出力され続けるかどうかをチェックする（ステップＳＴ２）。
【００１９】そして、前記インタフェース回路３からタッチ位置データが前記一定時間、出力されていなければ、ＣＰＵ５は操作員によってスクロール入力以外の入力指示が入力されたと判定してタッチ位置データによって指定された座標にあるアイコンなどに従ったタッチ入力処理を行なう。
【００２０】また、前記インタフェース回路３からタッチ位置データが前記一定時間以上、出力されていれば（ステップＳＴ２）、ＣＰＵ５は操作員によってスクロール指令が出されたと判定して、前記
タッチ位置データを始点座標（Ｘ１、Ｙ１）として記憶した後（ステップＳＴ３）、前記インタフェース回路３からタッチ位置データが出力されなくなるまで待つ（ステップＳＴ４）
【００２１】このとき、前記ＣＲＴ１上をタッチしている操作員の指７が画面８上から離されることなく動かされ、これに対応してタッチパネル２から出力されるタッチ位置データの値が変化する毎に、ＣＰＵ５はインタフェース回路３を介してタッチ位置データを取り込んでこれを終点候補座標（Ｘ３、Ｙ３）として記憶する。
【００２２】そして、前記ＣＲＴ１上から操作員の
指７が離され、これがタッチパネル２によって検出され、インタフェース回路３からタッチ位置データが出力されなくなれば、ＣＰＵ５は最後に記憶されている終点候補座標（Ｘ３、Ｙ３）を正式な終点座標（Ｘ２、Ｙ２）として記憶する（ステップＳＴ５）
【００２３】
この後、ＣＰＵ５は図４に示す如く始点座標（Ｘ１、Ｙ１）と、終点座標（Ｘ２、Ｙ２）とに基づいて次式に示す演算を行なって移動量（ΔＸ、ΔＹ）を計算する（ステップＳＴ６）
【００２４】ΔＸ＝Ｘ２−Ｘ１            …（１）
ΔＹ＝Ｙ２−Ｙ１            …（２）
次いで、ＣＰＵ５はメモリ内にある全体の制御画面１０（図３参照）の中から、ＣＲＴ１上に表示されている現在の画面８に対し、
移動量（ΔＸ、ΔＹ）だけずれた部分の画像を切り出し、これを制御画面データとしてバス６上に送出してインタフェース回路４に供給し、ＣＲＴ１上に前記制御画面データに対応する画面８を表示させる（ステップＳＴ７）
とあり、指が離されタッチ位置データが出力されなくなれば、最後に記憶されている座標を終点座標とし、終点座標に基づいて移動量を計算し、移動量だけずれた部分の画像を表示させる制御を行っていることは明らかである。
　
〈相違点２についての判断〉
　タッチパネルを備えた「携帯電子機器」は、携帯電話やＰＤＡとして例示するまでも無く周知のものであり、引用発明を「携帯電子機器」とし、相違点２に係る構成とすることは、当業者が容易になし得たことである。
　
〈まとめ（当審の判断)〉
　以上、本願発明は、引用発明及び各周知技術に基づいて当業者が容易に為し得たものである。
　
　本願発明の構成によってもたらされる効果は、上記相違点１，２を克服した構成のものが奏するであろうと当業者が予測する効果に比して格別顕著なものではなく、本願発明の進歩性を肯定する根拠となり得るものではない。
　
５．むすび
　以上のとおり，本願発明は、引用例１に記載された発明及び各周知技術に基づいて、当業者が容易に発明をすることができたものであるから、特許法第２９条２項の規定により特許を受けることができない。
　よって、結論のとおり審決する。